(57)【要約】      （修正有）【課題】日付調節に際してレンズ体で日付配列を拡大して調節し、レンズ不使用時には把持筒にレンズカバーを取り付ける回転印を提供する。【解決手段】回転印１は、回転可能に配設された回転子とその下端との間に、外表面に複数の印字が形成された無端印字ベルトを巻き掛けた回転印本体と、前記回転印本体を被套し、前記回転印本体に上下にスライド自在に配設された把持筒３と、前記回転印本体の下部の外周に配設された筒状の固定印支持部材４と、前記固定印支持部材４の下端に取り付けられ、前記無端印字ベルトの下端にある印字を出没させる窓穴が形成された固定印５とを有する回転印１において、前記把持筒３上端に、レンズ６を固定したレンズカバー７を着脱自在に取付けるとともに、前記レンズカバー７が前記固定印支持部材４下端にも着脱自在に取付け可能である。【選択図】図４
2011011481.tif 000002
【特許請求の範囲】
【請求項１】
回転可能に配設された回転子とその下端との間に、外表面に複数の印字が形成された無端印字ベルトを巻き掛けた回転印本体と、
前記回転印本体を被套し、前記回転印本体に上下にスライド自在に配設された把持筒と、
前記回転印本体の下部の外周に配設された筒状の固定印支持部材と、
前記固定印支持部材の下端に取り付けられ、前記無端印字ベルトの下端にある印字を出没させる窓穴が形成された固定印とを有する回転印において、
前記把持筒上端に、レンズを固定したレンズカバーを着脱自在に取付けるとともに、前記レンズカバーが前記固定印支持部材下端にも着脱自在に取付け可能であることを特徴とする回転印。
【請求項２】
回転可能に配設された回転子及びリューズとその下端との間に、外表面に複数の印字が形成された無端印字ベルトを巻き掛けた回転印本体と、
前記回転印本体の下部の外周に配設された筒状の固定印支持部材と、
前記固定印支持部材の下端に取り付けられ、前記無端印字ベルトの下端にある印字を出没させる窓穴が形成された固定印とを有する回転印において、
前記リューズの頭の外周に、突出部を形成したことを特徴とする回転印。
【発明の詳細な説明】
【技術分野】
【０００１】
本発明は、日付等を切り替えて押印することができる回転印に関する。
【背景技術】
【０００２】
従来から、特許文献１に示されるように、複数の無端印字ベルトを有し、キャップの底部にインキ吸蔵体を設けた、日付等を切り替えて押印するためのキャップ付回転印が知られている。このようなキャップ付回転印は、収納時には無端印字ベルトの印字面がキャップにより被覆されて、服や文房具等が印字面で汚れることがなく、また、収納時にキャップの底部に設けられたインキ吸蔵体から無端印字ベルトの印字面にインキが供給されることから、押印時に印字面を朱肉やスタンプ台に押し当てる必要がなく便利である。また、特許文献１には、外装ケース上面にガラス又はプラスチック等でできたレンズ体を固定した構成が開示され、日付調節等に際して日付穴内の活字を覗くことなく、レンズ体で拡大された日付配列を見ながら調節できる旨記載がある。
また、特許文献２には、データー印に対して着脱自在なデーター印拡大鏡が開示され、日付合わせに際して、本体に装着する旨記載がある。また、特許文献２には、拡大鏡を本体から取外す必要がないように、拡大鏡を本体に回動可能に取付けた構成が開示されている。
【特許文献１】特開昭６２−１７８３８２号公報
【特許文献２】特開平１１−３３７８４８号公報
【発明の開示】
【発明が解決しようとする課題】
【０００３】
しかし、特許文献１は、外装ケース上面にレンズ体を固定しているため、各印字ベルトの活字構成は、同じ数字配列の活字を２組又は４組配置し、日付穴内に現れた活字の組み合わせと同じ活字の組み合わせが各ベルト車に係合する部分に出現させる必要がある。そのため、各印字ベルトが長くなり、その分、外装ケースも長くなる不具合が生じていた。
特許文献２の拡大鏡は、日付合わせするときにだけデーター印本体に装着する構成であって、データー印本体に拡大鏡を保持する部分がないため、不使用時に拡大鏡の保管場所が既定されておらず、紛失する原因となる。また、拡大鏡を本体に回動可能に取付けた構成は、紛失の可能性こそ無くなるが、かさ張って邪魔になる。小さいものを見ることに不自由のない人は、このような大げさな構成は必要ない。またこの構成は、底部にインキ吸蔵体を設けたキャップを装着することが想定されておらず、押印時に印字面を朱肉やスタンプ台に押し当てる必要が生じて不便である。
本発明は、上記問題を解決した回転印を提供することを目的とする。
【課題を解決するための手段】
【０００４】
上記課題を解決するためになされた第１の発明の回転印は、回転可能に配設された回転子とその下端との間に、外表面に複数の印字が形成された無端印字ベルトを巻き掛けた回転印本体と、前記回転印本体を被套し、前記回転印本体に上下にスライド自在に配設された把持筒と、前記回転印本体の下部の外周に配設された筒状の固定印支持部材と、前記固定印支持部材の下端に取り付けられ、前記無端印字ベルトの下端にある印字を出没させる窓穴が形成された固定印とを有する回転印において、前記把持筒上端に、レンズを固定したレンズカバーを着脱自在に取付けるとともに、前記レンズカバーが前記固定印支持部材下端にも着脱自在に取付け可能であることを特徴とする。
【０００５】
また、第２の発明は、回転可能に配設された回転子及びリューズとその下端との間に、外表面に複数の印字が形成された無端印字ベルトを巻き掛けた回転印本体と、前記回転印本体の下部の外周に配設された筒状の固定印支持部材と、前記固定印支持部材の下端に取り付けられ、前記無端印字ベルトの下端にある印字を出没させる窓穴が形成された固定印とを有する回転印において、前記リューズの頭の外周に、突出部を形成したことを特徴とする回転印である。
【発明の効果】
【０００６】
第１の発明の回転印は、日付調節に際して、レンズ体で拡大された日付配列を見ながら調節できる。また、窓孔から確認するものであるため、印字ベルトに同じ数字配列の活字を２組以上必要としない。そのため、各印字ベルトが長くなることがなく、その分外装ケースも長くなることはない。
レンズを固定したレンズカバーを、前記把持筒上端に着脱自在に取付け可能としたため、不使用時には把持筒に取付けておくことができ、かさ張ることがなくコンパクトで見栄えがいい上、紛失の原因を取り除くことが出来る。小さいものを見ることに不自由のない人は、レンズを固定したレンズカバーを把持筒に固定したままで、不自由なく使用できる。本構成であれば、大げさな構成をとることなく、拡大表示を必要とする人が必要な時にレンズを使用することができる。
また、底部にインキ吸蔵体を設けたキャップを装着することができるため、押印時に印字面を朱肉やスタンプ台に押し当てる必要がなく便利である。
【０００７】
第２の発明の回転印は、リューズの頭の外周に突出部を形成したため指かかりがよく、爪の長い人でもリューズを容易に回転することができる。
【発明を実施するための形態】
【０００８】
（第１の実施形態）
以下に図面を参照しつつ、本発明の好ましい実施の形態を示す。本発明の回転印１は主に、筒状の把持筒３と、把持筒３の内部に被套された回転印本体２と、固定印本体２の外周に配設された固定枠部材９と、固定枠部材９の下端に取り付けられた固定印支持部材４、固定印支持部材４の下端に取り付けられた固定印５と、回転印本体２の印字部及び固定印５を被覆するキャップ８とから構成されている。
【０００９】
回転印本体２は、枠状部材２１、回転子２２、支持部材２３、シャフト２４、無端印字ベルト２５、リューズ２６、２７、係合筒２８とから構成されている。枠状部材２１は、断面形状”コ”字形状で、下側に開放した形状である。枠状部材２１の内部に、複数の回転子２２が、同軸に軸着している。回転子２２は、操作円盤２２ａと、この操作円盤２２ａよりも外径の小さい係合筒２２ｂが同軸に、一体となって形成されている。また、回転子２２の両側には、係合筒２８が枠状部材２１に軸着している。図２に示される実施形態では、係合筒２２ｂ及び係合筒２８にシャフト２４が挿通し、シャフト２４が枠状部材２１に取り付けられて、複数の回転子２２が枠状部材２１に回転可能に取り付けられている。枠状部材２１の下端には、断面形状”コ”字形状で、上側に開放した支持部材２３が取り付けられている。
【００１０】
それぞれの係合筒２２ｂ、２８及び、支持部材２３の下端には、複数の無端印字ベルト２５が巻き掛けられている。無端印字ベルト２５の外表面には、長さ方向に沿って、所定の間隔をおいて、複数の印字ブロック２５ａが突設されている。印字ブロック２５ａの表面には、数字や文字等の印字が形成されている。印字ブロック２５ａの印字部分は、多孔質になっていて、微量のインキが吸蔵されるようになっている。無端印字ベルト２５の裏面と、回転子２２の係合筒２２ｂとは係合していて、ユーザーが、指等で操作円盤２２ａを回転させると、係合筒２２ｂと係合している無端印字ベルト２５も回転し、印字ブロック２５ａが切り替わるようになっている。
【００１１】
図２に示される実施形態では、シャフト２４の両側には、リューズ２６、２７が取り付けられていて、このリューズ２６、２７は、係合筒２８と係合し、係合筒２８は両側に配設された無端印字ベルト２５と係合している。ユーザーがリューズ２６、２７を回転させると、無端印字ベルト２５も回転し、印字ブロック２５ａが切り替わるようになっている。
【００１２】
枠状部材２１の外周には、固定枠部材９が、枠状部材２１に対してスライド自在に取り付けられている。図６に示されるように、固定枠部材９には、上下方向に複数のスリット９ａが形成されていて、このスリット９ａから回転子２２の操作円板２２ａが露出している。
【００１３】
固定枠部材９の下端には、筒状の固定印支持部材４が取り付けられている。つまり、固定印支持部材４は、固定印本体２の下部の外周に配設されている。固定印支持部材４の下端は、内側に膨出した固定印支持部４ａが形成されている。固定印支持部４ａには、固定印５が取り付けられている。固定印支持部４ａ及び固定印５には、窓穴４ｂ、５ａが形成されていて、この窓穴４ｂ、５ａから、無端印字ベルト２５の下端にある印字ブロック２５ａが出没するようになっている。
【００１４】
把持筒３は、下側が開放した有底筒状であり、上下スライド可能に、回転印本体２および固定枠部材９に被套している。図３の（Ｂ）に示されるように、把持筒３の内面には、上下方向に係合溝３ａが形成され、係合溝３ａの上端には、水平方向に形成された係止溝３ｂが接続している。図２や図３に示されるように、固定枠部材９の上部には、固定枠部材受け９１が被嵌し、固定枠部材受け９１の外周には、外側に突出する係合突起９１ａが形成されている。係合突起９１ａは、把持筒３の内部に形成された係合溝３ａに係合している。
【００１５】
把持筒３を固定枠部材９に対して下側にスライドさせて、把持筒３を固定枠部材９に対して回動させると、図２の（Ａ）に示されるように、固定枠部材９の上部に被嵌した固定枠部材受け９１に形成された係合突起９１ａが、把持筒３に形成された係止溝３ｂに係合し、把持筒３が固定枠部材９に係止される。このため、不用意に把持筒３が回転印本体２に対して上方にスライドすることがなく、把持筒３が、回転子２２を遮蔽している状態が維持されるので、回転印１を押印する際に、回転子２２の操作円盤２２ａに触れることがなく、不用意に無端印字ベルト２５に形成された印字ブロック２５ａが切り替わることがない。
【００１６】
一方で、図２の（Ａ）に示された状態から、把持筒３を固定枠部材９に対して回動させると、把持筒３と固定枠部材９に被嵌した固定枠部材受け９１との係止状態が解除され、把持筒３を回転印本体２に対して上方にスライドさせることができ、複数の回転子２２の操作円盤２２ａやリューズ２６、２７が露出するので、操作円盤２２ａやリューズ２６、２７を回転させることにより、無端印字ベルト２５の印字ブロック２５ａを切り替えることができる。
【００１７】
固定枠部材９の上方には、高さ調整部材１０が配設されている。高さ調整部材１０は、枠状部材２１の上端に取り付けられた連結部材１１に螺合している。このため、高さ調整部材１０を回転させることにより、高さ調整部材１０と固定枠部材受け９１との離間寸法が変化するようになっている。図３に示されるように、高さ調整部材１０と固定枠部材受け９１の上端との間には、コイルスプリング１２が配設されている。このコイルスプリング１２により、枠状部材２１が固定枠部材受け９１に対して、上方に付勢されている。図２や図３に示されるように、把持筒３の内部の上部には、内側に突出する押圧部３ｃが形成されている。図２に示されるように、把持筒３を回転印本体２に対して下側にスライドさせると、押圧部３ｃが、高さ調整部材１０を下方に押圧し、枠状部材２１が下側に移動するので、無端印字ベルト２５の印字ブロック２５ａが、固定印５の窓穴５ａから突出するようになっている。高さ調整部材１０を回転させることにより、無端印字ベルト２５の印字ブロック２５ａの固定印５の窓穴５ａからの突出量を調整することができる。
【００１８】
キャップ８は、有底筒形状である。キャップ８の底部には、従来と同様のインキ供給部材として、インキ吸蔵体８ａが取り付けられている。キャップ８を回転印本体２に被覆させると、図２に示されるように、固定印５及び無端印字ベルト２５の印字ブロック２５ａが、インキ吸蔵体８ａに当接し、固定印５及び印字ブロック２５ａにインキが供給されるようになっている。このため、押印時に印字面を朱肉やスタンプ台に押し当てる必要がない。
【００１９】
インキ吸蔵体８ａには連続気泡を有する多孔体が用いられている。前記、連続気泡を有する多孔体には、ポリエチレン、ポリプロピレン、ポリ塩化ビニル、ポリ塩化ビニリデン、ポリスチレン、ポリウレタン等の合成樹脂性多孔体や、天然ゴム、ＮＢＲ、ＳＢＲ、ＥＰＤＭ等の多孔質ゴム等のインキを吸蔵することができる材質が含まれる。インキ吸蔵体８ａには、インキが吸蔵されている。
【００２０】
把持筒３の上部には、表示ラベル１３を上面に貼り付けた、表示ラベルカバー１４が配設されている。把持筒３の上部には、フランジ３ｄで連接された小径部３ｅが設けられており、表示ラベルカバー１４は、小径部３ｅ上端に着脱自在に被嵌されている。このため、高さ調節部材１０の上面は表示ラベルカバー１４で覆われ、隠蔽される。表示ラベル１３は、表示ラベルカバー１４の上面に、粘着剤等で貼り付けられている。
【００２１】
把持筒３の上部には、表示ラベルカバー１４を覆うように、レンズカバー７が配設されている。レンズカバー７は中空筒体に形成されてなり、一端方向の内周面には嵌合突起７１が刻設されて、他端には内径方向に突周設してレンズ係止部７２を設けている。レンズカバー７は、嵌合突起７１によって、小径部３ｅの外周面と着脱自在に嵌着され、レンズカバー７の下端は、フランジ３ｄに着座される。
レンズ６は、凸レンズで、レンズカバー１４のレンズ係止部７２に係止して固定されている。
ここで、レンズカバー７と把持筒３は、着脱自在に取付けられればよいため、前記の嵌着以外に螺合で取付けられてもよい。
【００２２】
ユーザーが日付等を変えるために、把持筒３を回転印本体２に対して上側に位置させると、図３に示されるように、把持筒３の押圧部３ｃの高さ調整部材１０への押圧が解除され、コイルスプリング１２の付勢力により、枠状部材２１が固定枠部材９に対して上方に持ち上げられて、無端印字ベルト２５の下端にある印字ブロック２５ａは、窓穴４ｂ、５ａから上方へ引き上げられる。この状態で、ユーザーが、操作円盤２２ａやリューズ２６、２７を回転させると、無端印字ベルト２５も回転し、印字ブロック２５ａが切り替わる  ようになっている。
【００２３】
この状態のときに、図４に示されるように、把持筒３から離脱させたレンズカバー７を、固定印支持部材４の下端に装着する。固定印支持部材４の下端外周面には、嵌合突起７１と着脱自在に嵌着するレンズカバー装着突起４ｃを設けている。レンズカバー７に固定された凸レンズ６は、その焦点距離が、レンズカバー７を固定印支持部材４の下端に装着した状態のときに、凸レンズ６と印字ブロック２５ａの表面との間の距離と合致するように形成されている。そのため、ユーザーが、日付等を変えるに際して、レンズ６で拡大された日付配列を見ながら調節することができるものである。
ユーザーが日付調節を終えた際には、レンズカバー７を固定印支持部材４から外して、把持筒３の上部に戻される。
【００２４】
（第２の実施形態）
図７から図９に第２の実施形態の回転印１を示す。以下、第１の実施形態の回転印１と異なる点について、第２の実施形態の回転印１を説明する。
第２の実施形態では、図７に示されるように、シャフト２４に取付けられたリューズ２６の頭の外周に、突出部２６ａを形成する。突出部２６ａは、リューズを回す際の指がかりとして機能する。突出部２６ａを設けないリューズ２６（図６）は、円柱形状で外周面にローレットを形成しただけであるため、爪の長い人は回し難いものであった。
図７から図９に示されるように、突出部２６ａの形状は、半楕円形状（２６ａ）、山形突出形状（２６ｂ）、棒形突出形状（２６ｃ）等が考えられる。突出部の数に制限はないが、図７から図９に示すように、２個を左右対称に形成すると、指の先でも指の腹でも回すことができ、指がかりとしてより効果的である。
尚、ここでは、リューズ２６についてのみ実施形態を説明したが、リューズ２７にも勿論適用することができる。
【００２５】
ここで、本発明は、第１の実施形態と第２の実施形態を個々に実施できることは勿論、第１の実施形態と第２の実施形態を合わせて実施することもできる。
つまり、レンズカバーを設ける構成、リューズの頭の外周に突出部を形成した構成を個々に実施できることは勿論、レンズカバーを設けることと、リューズの頭に突出部を形成することを合わせて実施することもできる。
【００２６】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う回転印もまた技術的範囲に包含されるものとして理解されなければならない。
【図面の簡単な説明】
【００２７】
【図１】本発明の実施の形態を示す回転印の全体斜視図である。
【図２】図１の断面図である。（閉じた状態）
【図３】図１の断面図である。（開いた状態）
【図４】レンズカバーを固定印支持部材に装着した状態の断面図である。
【図５】レンズカバーの斜視図である。
【図６】第１の実施形態の回転印を示す図である。
【図７】第２の実施形態の回転印を示す図である。
【図８】第２の実施形態の回転印を示す図である。
【図９】第２の実施形態の回転印を示す図である。
【符号の説明】
【００２８】
１      回転印
２      回転印本体
２１      枠状部材
２２      回転子
２２ａ    操作円盤
２２ｂ    係合筒
２３      支持部材
２４      シャフト
２５      無端印字ベルト
２５ａ    印字ブロック
２６      リューズ
２６ａ    突出部（半楕円形状）
２６ｂ    突出部（山形突出形状）
２６ｃ    突出部（棒形突出形状）
２７      リューズ
２８      係合筒
３      把持筒
３ａ      係合溝
３ｂ      係止溝
３ｃ      押圧部
３ｄ      フランジ
３ｅ      小径部
４      固定印支持部材
４ａ      固定印支持部
４ｂ      窓穴
４ｃ      レンズカバー装着突起
５      固定印
５ａ      窓穴
６      レンズ
７      レンズカバー
７１      嵌合突起
７２      レンズ係止部
８      キャップ
８ａ      インキ吸蔵体
９      固定枠部材
９１      固定枠部材受け
９１ａ    係合突起
１０      高さ調整部材
１１      連結部材
１２      コイルスプリング
１３      表示ラベル
１４      表示ラベルカバー
【図１】
2011011481.tif 000003
【図２】
2011011481.tif 000004
【図３】
2011011481.tif 000005
【図４】
2011011481.tif 000006
【図５】
2011011481.tif 000007
【図６】
2011011481.tif 000008
【図７】
2011011481.tif 000009
【図８】
2011011481.tif 000010
【図９】
2011011481.tif 000011